(57)【特許請求の範囲】
【請求項１】
引出しが閉じている状態では取っ手がない外観を呈する引出しキャビネットであって、引出しを開ける際に、前板上端部の一部または全体を後方に押すことにより前板上端部の一部または全体が前方に突出し、突出した前板上端部が取っ手を形成することを特徴とする引出しキャビネット。
【請求項２】
前板上端部の一部または全体が前方に回動して突出する請求項１記載の引出しキャビネット。
【請求項３】
前板上端部の一部または全体が前方にスライドして突出する請求項１記載の引出しキャビネット。
【発明の詳細な説明】
【技術分野】
【０００１】
本願発明は、引出しキャビネットに関する。
【背景技術】
【０００２】
引出しを上下に備えた引出しキャビネットでは、一般に、引出しの前板に取っ手が設けられるか、前板の上端縁部に手掛かり部が設けられるかして、引出しの引出操作が容易になるようにしている。その一方で、取っ手および手掛かり部はデザイン上の障害になるため、取っ手および手掛かり部のないすっきりしたデザインの引出しキャビネットが提案されている（特許文献１）。
【０００３】
特許文献１に記載された引出しキャビネットは、引出しの前面を押すと、引出しを前方に押し出す移動手段を備えている。この移動手段により、引出しを引き出す際に前面を押すと、引出しが前方に押し出され、引出しを開けることができるようになっている。
【特許文献１】実開平５−５８０６１号公報
【発明の開示】
【発明が解決しようとする課題】
【０００４】
しかしながら、開ける際に引出しを一旦後方へ押し込む方式の引出しキャビネットでは、引出しは、ある程度開きはするが、物品の出し入れを行うまで十分に開くことはほとんどない。引出しの前板の上端縁部に手を掛けるなどして引き出す必要がある。引出しの引出操作の点からすれば、取っ手や手掛かり部はやはり有効なものである。
【０００５】
本願発明は、このような事情に鑑みてなされたものであり、すっきりしたデザインを実現しつつ、引出しの引出操作を容易とする引出しキャビネットを提供することを課題としている。
【課題を解決するための手段】
【０００６】
本願発明は、上記の課題を解決するために、第１に、引出しが閉じている状態では取っ手がない外観を呈する引出しキャビネットであって、引出しを開ける際に、前板上端部の一部または全体を後方に押すことにより前板上端部の一部または全体が前方に突出し、突出した前板の上端部が取っ手を形成することを特徴としている。
【０００７】
本願発明は、第２に、前板上端部の一部または全体が前方に回動して突出することを特徴としている。
【０００８】
本願発明は、第３に、前板上端部の一部または全体が前方にスライドして突出することを特徴としている。
【発明の効果】
【０００９】
本願の第１の発明によれば、引出しが閉じている状態では取っ手のないすっきりした外観を呈し、一方、引出しを引き出す際には取っ手が形成され、引出操作を容易に安定して行うことができる。
【００１０】
本願の第２の発明によれば、前板上端部の突出代を十分大きなものとすることができ、引出操作を容易に安定して行うことができる。
【００１１】
本願の第３の発明によれば、突出代は引出しの前板の厚さに制約されるが、取っ手としての使用は良好であり、引出操作を十分容易にしかも安定して行うことができる。
【発明を実施するための最良の形態】
【００１２】
図１（ａ）（ｂ）は、それぞれ、本願発明の引出しキャビネットの一実施形態を示した側面図、正面図である。
【００１３】
大きさの異なる２つの引出し１を上下に備えている。引出し１は、キャビネット本体２に対して出し入れ自在になっており、前方に引き出すことで物品の出し入れを可能とし、後方に押し込むことでキャビネット本体２に収納される。
【００１４】
引出し１は、前板３に取っ手が設けられていなく、閉じている状態では、引出しキャビネットは取っ手のない外観を呈する。一方、引出し１を開ける際には、前板３の上端部４の一部または全体を前方に突出させ、突出した前板３の上端部４が取っ手を形成する。突出する前板３の上端部４は、前板３の横幅全長であっても、一部分であってもよい。取っ手として突出した前板３の上端部４に手を掛け、手前に引き出すことで、引出し１は必要な長さ分開く。前板３の上端部４の前方への突出は、前板３の上端部４の一部または全体を後方に押すという操作により実現される。
【００１５】
本実施形態の引出しキャビネットは、引出し１の前板３に取っ手が設けられていなく、引出し１が閉じている状態では、取っ手のない外観を呈し、すっきりとしたデザインのものとなっている。前板３の上端部４の一部または全体は、後方に押すことにより前方に突出し、突出した前板３の上端部４により取っ手が形成される。突出した前板３の上端部４に手を掛け、引出し１を必要な長さ分手前に引き出すことができる。取っ手として機能する前方に突出する前板３の上端部４により、引出し１の引出操作を容易に安定して行うことができる。取っ手の形成も、引出し１の前板３の上端部４の一部または全体を後方に押すという操作で行えるため、容易である。
【００１６】
このように、本実施形態の引出しキャビネットは、凹凸のないすっきりしたデザインを実現しつつ、引出しの引出操作が容易となっている。
【００１７】
なお、本願発明の引出しキャビネットでは、引出し１の大きさ、数に特に制限はなく、大きさの等しい引出し１をキャビネット本体２に複数段設けることが可能である。
【００１８】
図２（ａ）（ｂ）、図３（ａ）（ｂ）は、それぞれ、取っ手の形成方式の一形態を示した要部断面図、要部側面図である。
【００１９】
図２（ａ）（ｂ）および図３（ａ）（ｂ）に示した取っ手の形成方式では、引出し１の前板３の上端部４の一部または全体が回動して前方に突出する方式としている。引出し１の前板３の上端部４の一部または全体が、前板３の前面に配設された回動軸５に接続されている。
【００２０】
引出し１が閉じた状態では、図２（ａ）に示したように、前板３の上端部４に設けられたラッチ６が、上端部４に近接する前板３の他の部分に設けられた凹所７に納められたラッチ受け８に嵌まり、前板３の上端部４の一部または全体が他の前板３の部分と同一平面上に配置され、前方に突出しない。前板３には取っ手はない。
【００２１】
前板３の上端部４の一部または全体を後方に押すと、図２（ｂ）に示したように、ラッチ６がラッチ受け８から外れる。凹所７にはバネ９が付設されており、ラッチ６がラッチ受け８に嵌まっていたとき、バネ９はラッチ６の先端部で押圧され、圧縮されていたが、ラッチ６がラッチ受け８から外れると、バネ９に蓄積されていた弾性力が開放するため、バネ９は前板３の上端部４の一部または全体を押し上げる。その結果、前板３の上端部４の一部または全体が回動軸５を中心として前方に回動する。前板３の上端部４は、図３（ａ）に示したように、前板３の他の部分にリンク１０によって接続されているため、前方に略９０°回動する。回動した前板３の上端部４は、前板３の他の部分より前方に突出し、手掛かり部となり、取っ手として機能する。
【００２２】
図２（ａ）（ｂ）および図３（ａ）（ｂ）に示した取っ手の形成方式では、引出し１の前板３の上端部４の突出代を比較的大きく取ることができ、取っ手を十分大きなものとすることができる。引出し１の引出操作は容易かつ安定である。
【００２３】
図４（ａ）（ｂ）は、それぞれ、取っ手の形成方式の別の形態を示した要部断面図である。
【００２４】
図４（ａ）（ｂ）に示した取っ手の形成方式では、引出し１の前板３の上端部４の一部または全体がスライドして前方に突出する方式としている。前方に突出可能な前板３の上端部４に対応して他の前板３の部分には前端が開放された凹所７が設けられており、凹所７に前板３の上端部４が納められている。また、凹所７にはラッチ受け８とバネ９が設けられている。前板３の上端部４には、後端が開放された凹所１１が設けられ、凹所１１にラッチ６が設けられている。
【００２５】
引出し１が閉じた状態では、図４（ａ）に示したように、ラッチ６がラッチ受け８に嵌まり、前板３の上端部４の一部または全体は他の前板３の部分と同一平面上に配置される。前板３には取っ手がない。
【００２６】
前板３の上端部４の一部または全体を後方に押すと、図４（ｂ）に示したように、ラッチ６がラッチ受け８から外れる。ラッチ６がラッチ受け８に嵌まっていたとき、バネ９はラッチ６の先端部で押圧され、圧縮されていたが、ラッチ６がラッチ受け８から外れると、バネ９に蓄積されていた弾性力が開放するため、バネ９は、前板３の上端部４の一部または全体を前方に押し出す。凹所７の前端縁部にはストッパー１２が設けられ、前板３の上端部４の後端部には鍔部１３が設けられており、このため、鍔部１３がストッパー１２に接触するまで前板３の上端部４の一部または全体は前方にスライドし、前板３の他の部分から前方に突出する。突出した前板３の上端部４は、手掛かり部となり、取っ手として機能する。
【００２７】
図４（ａ）（ｂ）に示した取っ手の形成方式では、前板３の上端部４の突出代は引出し１の前板３の厚さに制約されるが、取っ手としての使用は良好であり、引出し１の引出操作は十分容易で安定する。
【００２８】
引出し１の前板３の上端部４の一部または全体がスライドして前方に突出する方式としては、図５（ａ）（ｂ）に示した形態とすることもできる。
【００２９】
前方に突出可能な前板３の上端部４に対応して他の前板３の部分には前端が開放された凹所７が設けられており、凹所７に前板３の上端部４が納められている。凹所７の下端部にはスライドレール１４が設けられ、前板３の上端部４は、スライドレール１４によって他の前板３の部分に連結されるとともに、スライドレール１４上を前後に移動可能となっている。凹所７にはラッチ受け８とバネ９が設けられている。前板３の上端部４には、後端が開放された凹所１１が設けられ、凹所１１にラッチ６が設けられている。
【００３０】
引出し１が閉じた状態では、図５（ａ）に示したように、ラッチ６がラッチ受け８に嵌まり、前板３の上端部４の一部または全体は他の前板３の部分と同一平面上に配置される。前板３には取っ手がない。
【００３１】
前板３の上端部４の一部または全体を後方に押すと、図５（ｂ）に示したように、ラッチ６がラッチ受け８から外れる。ラッチ６がラッチ受け８に嵌まっていたとき、バネ９はラッチ６の先端部で押圧され、圧縮されていたが、ラッチ６がラッチ受け８から外れると、バネ９に蓄積されていた弾性力が開放するため、バネ９は、前板３の上端部４の一部または全体を前方に押し出す。前板３の上端部４の一部または全体はスライドレール１４上に沿って前方にスライドし、前板３の他の部分から前方に突出する。突出した前板３の上端部４は、手掛かり部となり、取っ手として機能する。
【図面の簡単な説明】
【００３２】
【図１】（ａ）（ｂ）は、それぞれ、本願発明の引出しキャビネットの一実施形態を示した側面図、正面図である。
【図２】（ａ）（ｂ）は、それぞれ、取っ手の形成方式の一形態を示した要部断面図である。
【図３】（ａ）（ｂ）は、それぞれ、図２（ａ）（ｂ）に示した形態の要部側面図である。
【図４】（ａ）（ｂ）は、それぞれ、取っ手の形成方式の別の形態を示した要部断面図である。
【図５】（ａ）（ｂ）は、それぞれ、取っ手の形成方式の別の形態を示した要部断面図である。
【符号の説明】
【００３３】
１    引出し
２    キャビネット本体
３    前板
４    上端部
５    回動軸
６    ラッチ
７    凹所
８    ラッチ受け
９    バネ
１０    リンク
１１    凹所
１２    ストッパー
１３    鍔部
１４    スライドレール
【図１】
0004654860.tif 000002
【図３】
0004654860.tif 000003
【図２】
0004654860.tif 000004
【図４】
0004654860.tif 000005
【図５】
0004654860.tif 000006